(57)【要約】【課題】着用可能な基布の裏側に、第１および第２プロテクタを、それぞれ単独で配置した状態ならびに第１プロテクタの裏側に第２プロテクタを重ねて配置した状態を切換えて取付け可能とした防護用着用体において、部品点数を低減した簡単な構造で、第１および第２プロテクタを、それぞれ単独で配置した状態ならびに第１プロテクタの裏側に第２プロテクタを重ねて配置した状態を切換えて、基布に取付け可能とする。【解決手段】第１および第２プロテクタ１２，１３は基布１１に直接かつ単独で着脱可能に取付けることを可能として構成され、第２プロテクタ１３には、第２プロテクタ１３の表側に配置される第１プロテクタ１２を抱持するようにして第１プロテクタ１２の前面側で連結解除を可能として相互に連結される一対の連結帯３８，３９が取付けられる。【選択図】        図１
2005256181.tif 000002
【特許請求の範囲】
【請求項１】
着用可能な基布（１１）の裏側に、第１および第２プロテクタ（１２，１３）を、それぞれ単独で配置した状態ならびに第１プロテクタ（１２）の裏側に第２プロテクタ（１３）を重ねて配置した状態を切換えて取付け可能とした防護用着用体において、第１および第２プロテクタ（１２，１３）は前記基布（１１）の裏側に直接かつ単独で着脱可能に取り付けることを可能として構成され、第２プロテクタ（１３）には、第２プロテクタ（１３）の表側に配置される第１プロテクタ（１２）を抱持するようにして第１プロテクタ（１２）の表側で連結解除を可能として相互に連結される一対の連結帯（３８，３９）が取付けられることを特徴とする防護用着用体。
【請求項２】
第１プロテクタ（１２）が、合成樹脂によって中空のシェル状に形成されることを特徴とする請求項１記載の防護用着用体。
【請求項３】
第２プロテクタ（１３）は、前記基布（１１）の裏側に直接かつ着脱可能に取付け可能な外側袋体（２８）と、第１プロテクタ（１２）よりも耐刃性を高めたシート体（２５）が内側袋体（２６）に収納されて成るとともに前記外側袋体（２８）に挿脱可能に挿入される挿入ユニット（２７）とで構成されることを特徴とする請求項１または２記載の防護用着用体。
【請求項４】
前記内側袋体（２６）の下部両側が、第２プロテクタ（１３）を前方に向けて膨らむように彎曲させる弾発力を発揮する弾性部材（３６）を介して連結されることを特徴とする請求項１〜３のいずれかに記載の防護用着用体。
【請求項５】
前記外側袋体（２８）の裏側に汗取りパッド（４１）が着脱可能に取付けられることを特徴とする請求項１〜４のいずれかに記載の防護用着用体。
【発明の詳細な説明】
【技術分野】
【０００１】
本発明は、着用可能な基布の裏側に、第１および第２プロテクタを、それぞれ単独で配置した状態ならびに第１プロテクタの裏側に第２プロテクタを重ねて配置した状態を切換えて取付け可能とした防護用着用体に関する。
【背景技術】
【０００２】
第１および第２プロテクタを、それぞれ単独の状態ならびに第１プロテクタの裏側に第２プロテクタを重ねた状態を切換えて保持し得る取付け部材を、基布の裏側に取付けるようにした防護用着用体が、特許文献１で既に知られている。
【特許文献１】特開２００２−１６１４１３号公報
【発明の開示】
【発明が解決しようとする課題】
【０００３】
ところが上記従来の防護用着用体では、第１および第２プロテクタを基布に取付けるための専用の取付け部材が必要であり、部品点数が多くなる。
【０００４】
本発明は、かかる事情に鑑みてなされたものであり、部品点数を低減した簡単な構造で、第１および第２プロテクタを、それぞれ単独で配置した状態ならびに第１プロテクタの裏側に第２プロテクタを重ねて配置した状態を切換えて、基布に取付け可能とした防護用着用体を提供することを目的とする。
【課題を解決するための手段】
【０００５】
上記目的を達成するために、請求項１記載の発明は、着用可能な基布の裏側に、第１および第２プロテクタを、それぞれ単独で配置した状態ならびに第１プロテクタの裏側に第２プロテクタを重ねて配置した状態を切換えて取付け可能とした防護用着用体において、第１および第２プロテクタは前記基布に直接かつ単独で着脱可能に取付けることを可能として構成され、第２プロテクタには、第２プロテクタの表側に配置される第１プロテクタを抱持するようにして第１プロテクタの表側で連結解除を可能として相互に連結される一対の連結帯が取付けられることを特徴とする。
【０００６】
また請求項２記載の発明は、請求項１記載の発明の構成に加えて、第１プロテクタが、合成樹脂によって中空のシェル状に形成されることを特徴とする。
【０００７】
請求項３記載の発明は、請求項１または２記載の発明の構成に加えて、第２プロテクタは、前記基布の裏側に直接かつ着脱可能に取付け可能な外側袋体と、第１プロテクタよりも耐刃性を高めたシート体が内側袋体に収納されて成るとともに前記外側袋体に挿脱可能に挿入される挿入ユニットとで構成されることを特徴とする。
【０００８】
請求項４記載の発明は、請求項１〜３のいずれかに記載の発明の構成に加えて、前記内側袋体の下部両側が、第２プロテクタを前方に向けて膨らむように彎曲させる弾発力を発揮する弾性部材を介して連結されることを特徴とする。
【０００９】
さらに請求項５記載の発明は、請求項１〜４のいずれかに記載の発明の構成に加えて、前記外側袋体の裏側に汗取りパッドが着脱可能に取付けられることを特徴とする。
【発明の効果】
【００１０】
請求項１記載の発明によれば、第１および第２プロテクタは、基布に直接かつ単独で取付け可能であり、しかも第２プロテクタの表側に配置される第１プロテクタを第２プロテクタで抱持することも可能であるので、基布の裏側に第１プロテクタだけを取付けた状態、基布の裏側に第２プロテクタだけを取付けた状態、第１プロテクタの裏側に第２プロテクタを重ねて配置して基布の裏側に取付けた状態を、第１および第２プロテクタ以外の専用の取付け部材を不要として部品点数を低減しつつ、必要に応じて容易に切換え可能であり、しかも第２プロテクタに取付けられる一対の連結帯を第１プロテクタの表側で連結することによって第１プロテクタを抱持するようにしているので、着脱操作を簡略化した簡単な構造で第１プロテクタを第２プロテクタで抱持し、第１プロテクタの裏側に第２プロテクタを重ねた状態で第１および第２プロテクタを基布に取付けることができる。
【００１１】
また請求項２記載の発明によれば、第１プロテクタを基布に取付けた状態での基布表面に作用する衝撃力を効果的に緩和することができる。
【００１２】
請求項３記載の発明によれば、第２プロテクタを基布に取付けた状態での耐刃性を高めることができ、しかも耐刃性を高めたシート体を有する挿入ユニットは外側袋体に挿脱可能に挿入されるので、挿入ユニットを外側袋体から容易に取外して洗濯することができる。
【００１３】
請求項４記載の発明によれば、第２プロテクタを着用者の体型に合わせることができ、着用感が向上する。
【００１４】
さらに請求項５記載の発明によれば、第２プロテクタを基布に取付けた状態で、第２プロテクタの裏側に汗が溜まることを防止して、着用感を高めることができる。
【発明を実施するための最良の形態】
【００１５】
以下、本発明の実施の形態を、添付の図面に示した本発明の一実施例に基づいて説明する。
【００１６】
図１〜図７は本発明の一実施例を示すものであり、図１は防護用着用体を着用状態で示す斜視図、図２は防護用着用体を分解して示す斜視図、図３は図１の３−３線に沿う断面図、図４は第１プロテクタの正面図、図５は第２プロテクタを分解した状態を裏側から見た斜視図、図６は第２プロテクタの正面図、図７は図５の７−７線断面図である。
【００１７】
先ず図１において、この防護用着用体は、着用者の上半身前面を保護すべく白バイ乗務員に好適に用いられるものであり、着用可能な基布１１に、第１および第２プロテクタ１２，１３が、第１および第２プロテクタ１２，１３を基布１１の裏側にそれぞれ単独で配置した状態、ならびに基布１１の裏側に取付けられる第１プロテクタ１２の裏側にさらに第２プロテクタ１３を重ねて配置した状態（図１で示す状態）を切換えて取付け可能である。
【００１８】
図２および図３を併せて参照して、メッシュ状の生地から成る基布１１は、前部中央をファスナ１４で開閉可能とするとともに脇をあけてベスト型に形成されるものであり、基布１１の前部両側下部には、着用者のベルト１５に中間部を巻き掛け得る帯状のベルトホルダ１６，１６の一端が取付けられる。これらのベルトホルダ１６…の前面には、フックおよびループの機能をともに備えた面ファスナー１７…がそれぞれ設けられており、中間部を前記ベルト１５に巻き掛けて折り返したベルトホルダ１６…の他端を、該ベルトホルダ１６…の長手方向任意の位置に着脱可能に連結することができる。したがって両ベルトホルダ１６…により、着用者の体型に合わせて基布１１の上下位置を調節することが可能である。
【００１９】
また基布１１の背部における下部には、長さ調節を可能として着用者の腰部に巻き掛け得る巻き掛けベルト１８，１８の一端部が取付けられており、それらの巻き掛けベルト１８…に対応して基布１１の前部両側下部には止めベルト１９…の一端部が取付けられる。而して巻き掛けベルト１８…の他端部はバックル２０…によって前記止めベルト１９…の他端部に着脱可能に連結されるものであり、着用者の胴回りに合わせて巻き掛けベルト１８…の長さを調節しつつ基布１１を着用することができる。
【００２０】
図４を併せて参照して、第１プロテクタ１２は、着用者の胸部および上腹部を覆う形状を有するものであり、硬質の合成樹脂たとえばポリプロピレンにより中空のシェル状に形成され、第１プロテクタ１２の両側には、横方向に長い貫通孔２１，２１…が上下に並んで複数個ずつ設けられる。
【００２１】
この第１プロテクタ１２の上部および下部両側には、雄ホック２３…が表側に突出するようにしてそれぞれ設けられており、基布１１の前部両側には、前記雄ホック２３…を係脱可能に係合せしめる雌ホック２４…が、１個の前記雄ホック２３に対応して３個ずつ上下に並んで背面側に突出するように設けられる。したがって着用者の体型に応じて雄ホック２３…を係合せしめる雌ホック２４…を選択することにより、着用者の体型に合わせて上下位置を調節するようにして第１プロテクタ１２を基布１１の前部に裏側から直接かつ単独で着脱可能に取付けることができる。
【００２２】
図５および図６を併せて参照して、第２プロテクタ１３は、第１プロテクタ１２よりも耐刃性を高めたシート体２５が内側袋体２６に収納されて成る挿入ユニット２７と、該挿入ユニット２７を挿脱可能に挿入せしめる外側袋体２８とで構成される。
【００２３】
外側袋体２８は、第２プロテクタ１３を第１プロテクタ１２の裏側に重ねた状態では、第１プロテクタ１２の下部から両側に外側袋体２８すなわち第２プロテクタ１３の下部が張り出して着用者の脇腹をも覆う形状を有するものであり、合成繊維から成る一対の布部材２９，２９の上部および両側部を縁布３０とともに縫い付けることで下部を開放可能とした袋状に形成されるものであり、この外側袋体２８の下部はファスナ３１によって開閉可能である。また挿入ユニット２７の内側袋体２６は、合成繊維から成る一対の布部材３２，３２の全周を縫い付けることで外側袋体２８に挿入可能な形状を有する袋状に形成される。
【００２４】
さらに図７を併せて参照して、内側袋体２６内に挿入されるシート体２５は、複数枚たとえば５枚のアラミドフィラメント布３３…、チタン合金などから成る複数枚たとえば４枚の金属薄板３４…、ならびにたとえば２枚のアラミドフェルト布３５，３５を、アラミドフィラメント布３３…を表側に配置するようにして順に積層して構成され、可撓性を有するものである。
【００２５】
ところで、外側袋体２８および挿入ユニット２７は可撓性を有するものであり、内側袋体２６の下部両側は、第２プロテクタ１３を前方に向けて膨らむように彎曲させる弾発力を発揮する弾性部材３６を介して連結される。
【００２６】
また外側袋体２８において基布１１の前部に対向する側の両側上部および下部には、基布１１の前部両側に３個ずつ組をなして設けられる各組の雌ホック２３…のうち選択された２つに係脱可能に係合し得る一対ずつ４組の雄ホック３７…が設けられており、外側袋体２８すなわち第２プロテクタ１３を、着用者の体型に合わせて上下位置を調節するようにして基布１１の前部に裏側から直接かつ単独で着脱可能に取付けることができる。
【００２７】
さらに外側袋体２８の中央における上部および下部には連結帯３８，３９の一端がそれぞれ取付けられており、一対の連結帯３８，３９は、第２プロテクタ１３を第１プロテクタ１２の裏側に重ねた状態では第２プロテクタ１３の表側に配置される第１プロテクタ１２を抱持するようにして第１プロテクタ１２の表側で連結解除を可能として相互に連結される。
【００２８】
而して両連結帯３８，３９の他端部は面ファスナー４０で相互に連結されるものであり、この実施例では、上方の連結帯３８の他端部にフック部４０ａが設けられ、該フック部４０ａと協働して面ファスナー４０を構成するループ部４０ｂが下方の連結帯３９の他端部に設けられる。
【００２９】
さらに第２プロテクタ１３における外側袋体２８の裏面には、汗取りパッド４１が、たとえば複数の面ファスナー４２…によって着脱可能に取付けられる。
【００３０】
次にこの実施例の作用について説明すると、第１および第２プロテクタ１２，１３は基布１１の前部裏側に直接かつ単独で着脱可能に取付けることを可能として構成され、第２プロテクタ１３は、その表側の第１プロテクタ１２を保持可能であるので、基布１１の裏側に第１プロテクタ１２だけを取付けた状態、基布１１の裏側に第２プロテクタ１３だけを取付けた状態、基布１１の裏側に取付けた第１プロテクタ１２の裏側に第２プロテクタ１３を重ねた状態を、第１および第２プロテクタ１２，１３以外の専用の取付け部材を不要として部品点数を低減しつつ、必要に応じて容易に切換え可能である。
【００３１】
しかも第２プロテクタ１３には、第２プロテクタ１３の表側に配置される第１プロテクタ１２を抱持するようにして第１プロテクタ１２の表側で相互に連結される一対の連結帯３８，３９が取付けられており、第２プロテクタ１３の表側に配置される第１プロテクタを第２プロテクタ１３を抱持する際の着脱操作を簡略化した簡単な構造で第１プロテクタ１２を第２プロテクタ１３で抱持し、第１プロテクタ１２の裏側に第２プロテクタ１３を重ねた状態で基布１１に第１および第２プロテクタ１２，１３を取付けることが可能となる。
【００３２】
また第１プロテクタ１２は、合成樹脂によって中空のシェル状に形成されるので、第１プロテクタ１２を基布１１に取付けた状態での基布１１の表面に作用する衝撃力を効果的に緩和することができ、第２プロテクタ１３は、基布１１の裏側に直接かつ着脱可能に取付け可能な外側袋体２８と、第１プロテクタ１２よりも耐刃性を高めたシート体２５が内側袋体２６に収納されて成るとともに外側袋体２８に挿脱可能に挿入される挿入ユニット２７とで構成されるので、第２プロテクタ１３を基布１１に取付けた状態での耐刃性を高めることができ、耐刃性を高めたシート体２５を有する挿入ユニット２７を外側袋体２８から容易に取外して洗濯することができる。
【００３３】
また内側袋体２６の下部両側が、第２プロテクタ１３を前方に向けて膨らむように彎曲させる弾発力を発揮する弾性部材３６を介して連結されているので、第２プロテクタ１３を着用者の体型に合わせることができ、着用感を高めることができる。
【００３４】
さらに外側袋体２８の裏側に汗取りパッド４１が着脱可能に取付けられるので、第２プロテクタ１３を基布１１に取付けた状態で、第２プロテクタ１３の裏側に汗が溜まることを防止して、着用感を高めることができる。
【００３５】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００３６】
【図１】防護用着用体を着用状態で示す斜視図である。
【図２】防護用着用体を分解して示す斜視図である。
【図３】図１の３−３線に沿う断面図である。
【図４】第１プロテクタの正面図である。
【図５】第２プロテクタを分解した状態を裏側から見た斜視図である。
【図６】第２プロテクタの正面図である。
【図７】図５の７−７線断面図である。
【符号の説明】
【００３７】
１１・・・基布
１２・・・第１プロテクタ
１３・・・第２プロテクタ
２５・・・シート体
２６・・・内側袋体
２７・・・挿入ユニット
２８・・・外側袋体
３６・・・弾性部材
３８，３９・・・連結帯
４１・・・汗取りパッド
【図１】
2005256181.tif 000003
【図２】
2005256181.tif 000004
【図３】
2005256181.tif 000005
【図４】
2005256181.tif 000006
【図５】
2005256181.tif 000007
【図６】
2005256181.tif 000008
【図７】
2005256181.tif 000009